(57)【要約】【課題】システム天井への照明器具１０００の取付性を向上させるとともに、天井面へ照射する光の照射量を向上させる。【解決手段】システム天井に取り付けられる照明器具１０００は、一面が開口した箱状の灯具本体１１０と、灯具本体１１０の開口から内側にフレーム係合部２４１が格納されるとともに、透光部２４２が灯具本体１１０の開口から突出するように、灯具１００に着脱可能に取り付けられた長尺状の光源部２００と、を備える。【選択図】          図８
2019212414.tif 000002
【特許請求の範囲】
【請求項１】
一面が開口した箱状の灯具と、
前記開口から前記灯具の内側に一部が格納されるとともに、外郭部が前記開口から突出するように、前記灯具に着脱可能に取り付けられた長尺状の光源部と、
を備えた照明器具。
【請求項２】
前記開口は、四角形状をなし、
前記光源部は、前記開口の一辺側を開口させた状態で、前記一辺に並行な他辺に隣接配置した請求項１に記載の照明器具。
【請求項３】
前記灯具を２つ有し、それぞれの前記灯具に取り付けられる前記光源部を有し、
前記灯具は、互いに並列に配設され、
前記光源部は、互いの距離が最も離れるように、前記灯具に取り付けられたことを特徴とする請求項２に記載の照明器具。
【請求項４】
前記光源部に隣接するように前記灯具の前記開口の一辺側に取り付けられたカバーを備えた請求項２または請求項３に記載の照明器具。
【請求項５】
前記カバーと前記開口の一辺側との間が開口した状態である請求項４に記載の照明器具。
【請求項６】
前記光源部は、
長尺状の光源と、
前記光源を覆う光透過性カバーと、
前記光源が取り付けられた光源取付部、及び、前記光源取付部の一辺から折り曲げられて形成され、前記光透過性カバーが係合する係合部を有するフレームと、
を有し、
前記光源部が前記器具本体に取り付けられたとき、前記係合部は前記開口から前記灯具の内側に入り込んだ状態になることを特徴とする請求項１〜請求項５のいずれか一項に記載の照明器具。
【発明の詳細な説明】
【技術分野】
【０００１】
本発明は、天井などの照射面に光を当てることによって、明るさ感を向上させるものである。
【背景技術】
【０００２】
天井などの照射面に光を当てるため、照射面から発光部分を突出させて、発光部分からの側面配光を利用して、照射面を明るくする技術がある。（例えば、特許文献１、特許文献２参照。）
【先行技術文献】
【特許文献】
【０００３】
【特許文献１】特開２０１８−６３２０号公報
【特許文献２】特開２０１４−７２０７７号公報
【発明の概要】
【発明が解決しようとする課題】
【０００４】
しかしながら、特許文献１に記載の照明器具では、天井などの照射面の下側に取り付けることはできるが、システム天井などの天井の裏面側に載せるように取り付ける照明器具への応用はできなかった。また、特許文献２に記載の照明器具では、システム天井などに取り付ける照明器具ではあるが、システム天井への取付機構と発光部が一体となっているため、システム天井へ取り付ける際の天井裏の奥行きが必要であり、また、発光部がシステム天井の部材に接触して、発光部に傷が付く恐れがあった。
【課題を解決するための手段】
【０００５】
本発明の照明器具は、一面が開口した箱状の灯具と、開口から灯具の内側に一部が格納されるとともに、外郭部が開口から突出するように、灯具に着脱可能に取り付けられた長尺状の光源部と、備える。
【発明の効果】
【０００６】
天井への照明器具の取付性を向上させることができるとともに、天井面への光の照射量を向上させることができる。
【図面の簡単な説明】
【０００７】
【図１】実施の形態１の照明器具の斜視図である。
【図２】図１の照明器具を他の角度からの見たときの斜視図である。
【図３】図１の照明器具の６面図である。
【図４】図１の照明器具の分解図である。
【図５】図１の照明器具の光源部の断面図である。
【図６】図１の照明器具の化粧カバーの斜視図である。
【図７】本実施の形態の取付工程と比較するための比較例である。
【図８】本実施の形態の取付工程を示す図である。
【図９】図８の取付工程における部分詳細を示す図である。
【発明を実施するための形態】
【０００８】
実施の形態１．
本実施の形態の照明器具について、図１〜図６を用いて説明する。
図１は、本実施の形態の照明器具の斜視図、図２は、図１の照明器具を他の角度からの見たときの斜視図である。
図３は、図１の照明器具の６面図であり、（ａ）は正面図、（ｂ）は背面図、（ｃ）は左側面図、（ｄ）は右側面図、（ｅ）は上面図、（ｆ）は下面図である。
図４は、図１の照明器具の分解図である。
【０００９】
照明器具１０００は、２つの灯具１００と、この２つの灯具１００にそれぞれ取り付けられる光源部２００と、２つの灯具１００を連結する２つの連結具３００と、２つの連結具３００に取り付けられ、天井に設けられたＴバー２０００に係合する係合具４００と、同じく２つの灯具１００に取り付けられる化粧カバー５００と、２つの灯具１００のうち、いずれか一方に取り付けられる電源部６００と、２つの連結具３００のうち、いずれか一方に取り付けられた電源端子台７００と、この電源端子台７００の隣に取り付けられた調光信号端子台８００を備える。
なお、照明器具１０００の仕様に応じて、電源端子台７００、調光信号端子台８００などの有無、取付位置は適宜変更される。
【００１０】
灯具１００は、コの字（Ｕ字）に折り曲げられて形成された灯具本体１１０と、この灯具本体１１０に取り付けられる遮蔽化粧カバー１２０と、灯具本体１１０に取り付けられる取付バネ台座１３０と、この取付バネ台座１３０に取り付けられる取付バネ１４０と、を有する。
【００１１】
灯具本体１１０は、長方形状の天板部１１１と、この天板部１１１の長手方向の両側からほぼ直角となるように折り曲げられて形成された側板部１１２と、を有する。この実施の形態における天板部１１１と側板部１１２には、空調リターン用の開口１１３が形成されているが、この空調リターン用の開口１１３は、照明器具の仕様に応じて開口の総面積が決定されるので、図１〜図４に示された開口の個数や面積に限定されない。
【００１２】
遮蔽化粧カバー１２０は、板状の部材から構成され、灯具１００に形成された後述する空調リターン穴１０１から、天板部１１１または側板部１１２に形成された空調リターン用の開口１１３や、灯具１００の内蔵部品（電源部など）が見えないように遮蔽するものである。
【００１３】
取付バネ台座１３０は、天板部１１１に取り付けられた段状に折り曲げて形成したものであり、天板取付部１３１と、この天板取付部１３１から略直角に折り曲げられて形成された持上部１３２と、この持上部１３２から天板取付部１３１側とは逆側に折り曲げられて形成された取付バネ取付部１３３を有する。なお、天板取付部１３１、持上部１３２、ならびに取付バネ取付部１３３は、剛性を高めるために適宜折り曲げ加工がなされている。
【００１４】
天板取付部１３１は、天板部１１１にネジなどで取り付けるためのネジ穴が設けられている。
【００１５】
持上部１３２は、取付バネ１４０の位置（高さ）を決定するためのものである。なお、この実施の形態では、持上部１３２の高さが１種類の場合について説明するが、光源部２００の種類や取付バネの種類などに応じて、持上部１３２の高さを可動調整できるようにしてもよいし、高さが異なる種類のものを複数用意して選択して取り付けるようにしてもよい。
【００１６】
取付バネ取付部１３３は、ネジや引っ掛け機構によって取付バネ１４０を係止させる係止部１３３ａを有する。
【００１７】
取付バネ１４０は、取付バネ取付部１３３の係止部１３３ａに係止される被係止部１４１と、光源部２００を着脱可能に灯具に取り付けるための光源取付部１４２を有する。
【００１８】
光源部２００は、灯具本体１１０の開口から部分的（具体的には、後述する透光部２４２。）に突出するように灯具本体１１０に取り付けられ、その外郭部の形状（光源部２００のうち、灯具本体１１０の内部に隠れない部分であり、特に透光部２４２の外郭形状）は、照明器具１０００の意匠の外郭を構成する。
また、２つの光源部２００は、互いに並列となるように、かつ、互いの距離が最も離れるように、灯具１００に取り付けられており、光源部２００が発する側面方向の光が天井材に当たるようにしている。なお、本実施の形態では、２つの光源部２００の互いの距離が最も離れる場合について説明するが、照明器具１０００の仕様（天井材へ当てる光量や配光度合い）に応じて、適宜配置を変えてもよく、例えば、灯具本体１１０の中央や、灯具１００の内側に寄せるように配置してもよい。
【００１９】
連結具３００は、２つの灯具１００を連結するものである。この連結具３００は、それぞれの灯具本体１１０の端部を塞ぐ２つの端板３１０と、２つの端板３１０を連結した連結板３２０を有する。
【００２０】
係合具４００は、システム天井などを構成する際に、井桁状に設けられたＴバー２０００の上部に乗りかかるように取り付けられて、Ｔバー２０００と係合するものである。係合具４００は、Ｔバー２０００の上部に乗りかかるＴバー載置部４１０と、Ｔバー２０００の側面に引っ掛かる引掛部４２０と、引掛部４２０の先端に設けられ、振動などによってＴバーからの脱落を防止するための落下防止爪４３０を備える。
【００２１】
次に、光源部２００の詳細構造について説明する。
図５は、図１の照明器具の光源部の断面図であり、（ａ）はフレームに透光性カバーを取り付けた状態を示す断面図、（ｂ）はフレームから透光性カバーを外した状態を示す断面図である。
光源部２００は、コの字（Ｕの字）上に折り曲げられて形成されたフレーム２１０と、フレーム２１０に取り付けられ、取付バネ１４０が引っ掛けられる被係合部２２０と、フレーム２１０に取り付けられたＬＥＤモジュール２３０と、フレーム２１０に取り付けられて、ＬＥＤモジュール２３０を覆う透光性カバー２４０を備える。
【００２２】
フレーム２１０は、表面側にＬＥＤモジュール２３０が取り付けられ、裏面側に被係合部２２０が取り付けられた長尺状の光源載置部２１１と、この光源載置部２１１の短手方向の両側から、裏面の方向に向かって折り曲げられて形成されたカバー取付部２１２を有する。
【００２３】
被係合部２２０は、フレーム２１０の裏面側に取り付けられるフレーム取付部２２１と、このフレーム取付部２２１から折り曲げられて形成された取付バネ係合部２２２を有する。取付バネ係合部２２２は、取付バネ１４０が挿入される開口２２２ａが形成されており、この開口に取付バネ１４０が入り込むと、取付バネ１４０によって、光源部２００が灯具１００に取り付けられた状態となるように引き上げることができ、また、光源部２００が灯具１００に取り付けられた状態を維持することができる。また、光源部２００を引っ張ることによって取付バネ１４０が変形し、光源部２００が引き下げられ、取付バネ係合部２２２の開口から取付バネ１４０を外すと、光源部２００を灯具１００から外すことができる。
【００２４】
ＬＥＤモジュール２３０は、基板２３１と、この基板２３１に実装される複数の発光ダイオード２３２（以下、ＬＥＤ２３２という。）を有する。
【００２５】
透光性カバー２４０は、カバー取付部２１２に係合する２つのフレーム係合部２４１と、２つのフレーム係合部２４１を繋ぐように形成された透光部２４２を有する。
透光部２４２は、透光性カバー２４０がフレーム２１０に取り付けられたとき、ＬＥＤモジュール２３０の発光方向を覆うように設けられ、ＬＥＤ２３２が発する光を拡散透過させる。
フレーム結合部２４１は、釣り針状をなしており、透光性カバー２４０がフレーム２１０に取り付けられたとき、カバー取付部２１２に沿うように設けられた側部２４１ａと、この側部２４１ａの先端に設けられカバー取付部２１２の先端部に引っ掛かるように形成された引掛爪部２４１ｂを有する。
【００２６】
次に、化粧カバー５００の詳細構造について説明する。
図６は、図１の照明器具の化粧カバーの斜視図である。
化粧カバー５００は、化粧面を有する長尺状の化粧主部５１０と、幅手方向の両端から折り曲げられて形成された化粧側板部５２０と、化粧主部５１０と化粧側板部５２０に囲まれた空間かつ化粧主部５１０の長手方向の両端部に設けられ、灯具本体１１０の内壁（連結具３００の端板３１０）に係合する取付ピン５３０を有する。この化粧カバー５００は、長手方向の一辺側は、光源部２００に隣接し、他辺側は、灯具本体１１０の内壁との間に開口（空間）が形成されるように、灯具本体１１０に取り付けられる。なお、灯具本体１１０の内壁との間に形成された開口（空間）は、所謂空調リターン穴１０１であり、照明器具１０００の仕様として、空調リターン穴１０１が不要な場合は、化粧カバー５００と器具本体１１０の内壁との間に開口（空間）を設けないように、つまり、化粧カバー５００の他辺と灯具本体１１０の内壁を隣接させるようにしてもよい。
【００２７】
電源部６００は、２つの灯具本体１１０のうち、いずれか一方の灯具本体１１０の天板部１１１に取り付けられ、電源端子台７００、調光信号端子台８００、ならびに２つの光源部２００（ＬＥＤモジュール２３０）に電線を介して電気的に接続されている。
【００２８】
電源端子台７００は、２つの連結具３００のうち、いずれか一方の連結具３００の連結板３２０に取り付けられており、外部から引き込まれた電源線が接続される。
【００２９】
調光信号端子台８００は、２つの連結具３００のうち、いずれか一方の連結具３００の連結板３２０に取り付けられており、外部機器（調光コントローラなど）と通信線で接続される。なお、本実施の形態では、電源端子台７００に隣接するように取り付けているが、これに限らず、他方の連結具３００や灯具本体１１０などに取り付けられてもよいし、照明器具１０００の仕様により調光信号線が不要な場合は備えなくてもよい。
【００３０】
次に、本実施の形態における照明器具１０００をシステム天井（Ｔバー２０００）への取り付ける工程について、図７〜図９を用いて説明する。
図７は、本実施の形態の取付工程と比較するための比較例、図８は、本実施の形態の取付工程を示す図、図９は、図８の取付工程における部分詳細を説明するための図である。
【００３１】
まず、天井に配線されている電源線を電源端子台７００に取り付け、Ｔバー２０００が井桁状に組まれたシステム天井の下側から、灯具１００を斜めに傾けて、灯具１００の下面側がＴバー２０００の上端を乗り越えるようにして挿入していく（図７（ａ）〜図７（ｂ）、図８（ａ）〜図８（ｂ）に示す工程参照。）。このとき、光源部２００が灯具１００に取り付けられた状態の場合、図７（ｂ）に示すように、照明器具１０００をシステム天井に取り付ける際、灯具１００を斜めに傾ける角度が大きくなり、システム天井の天井裏の奥行き（図７（ｂ）に示す寸法Ｈｏ）が必要となる。また、灯具１００に光源部２００が取り付けられていると、光源部２００の発光部分である透光性カバー２４０（透光部２４２）がＴバー２０００の上端部（図７（ｂ）に示す矢視Ａ部）と接触する恐れがある。この場合、照明器具１０００をスライドさせて取り付ける際、Ｔバー２０００の上端に透光性カバー２４０（透光部２４２）が擦れることにより、最悪の場合、透光性カバー２４０（透光部２４２）に傷が付いてしまうことがある。
【００３２】
しかしながら、本実施の形態の照明器具１０００は、灯具１００から光源部２００を取り外すことができるので、図８（ｂ）に示すように、灯具１００をシステム天井へ取り付ける際、光源部２００がＴバー２０００の上端部（図８（ｂ）に示す斜視Ｂ部）に当たることなくなるので、灯具１００の傾きを浅くすることができ、システム天井の天井裏の奥行き（図８（ｂ）に示す寸法Ｈ１）が少ない場合でも容易に灯具１００を取り付けることができ、灯具１００をシステム天井へ取り付ける取付作業が向上させることができ、また、光源部２００がＴバー２０００の上端部に接触する恐れがないので、透光性カバー２４０（透光部２４２）に傷がつくことがないようにすることできる。
【００３３】
灯具１００をシステム天井の天井裏側（Ｔバーの上端側）に挿入し、灯具１００をＴバー２０００に対して略平行となるように傾きを直したあと、４つのＴバー２０００で囲われた枠内に灯具１００を移動させ、その後、この枠内に灯具１００をはめ込む（図７（ｂ）〜図７（ｃ）、図８（ｂ）〜図８（ｃ）に示す取付工程参照。）。このとき、Ｔバー２０００の上端部に、Ｔバー載置部４１０が係合することにより、システム天井に灯具１００が取り付けられた状態となる。
【００３４】
次に、システム天井に灯具１００を取り付けた状態で、化粧カバー５００の取付ピン５３０を摺動操作して、灯具本体１１０の内壁側に化粧カバー５００を挿入して、灯具本体１１０に取り付ける。このとき、化粧カバー５００の長手方向の両側には、灯具本体１１０との内壁との間に開口が形成された状態となる。この開口の一方側（器具本体の外周側）は、光源部２００を取り付けるためのもので、他方側（器具本体の内側）は、空調用の空調リターン穴１０１である。
【００３５】
次に、システム天井に取り付けられた灯具１００（灯具本体１１０）に光源部２００を取り付ける。このとき、まず、灯具本体１１０に取り付けられている電源部６００から引き出されている電線（コネクタ）を接続し、取付バネ１４０を被係合部２２０（取付バネ係合部２２２）の開口に挿入して、光源部２００を灯具本体１１０に向かって押し上げることによって、光源部２００を灯具本体１１０に取り付けた状態（図８（ｄ）の取付工程参照。）とすることができる。
【００３６】
従って、灯具１００をシステム天井に取り付けてから、光源部２００を灯具１００に取り付けるので、光源部２００の透光性カバー２４０に傷がつく恐れがない。
【００３７】
また、光源部２００のフレーム係合部２４１（図９（ａ）に示す矢視Ｃ部）は、透光部材の場合、ＬＥＤ２３２からの光が導光（例えば、透光部に入光した光が透光部２４２の内部で反射して、フレーム係合部２４１まで導光するような場合など）して光っているように見えることがあるが、透光部２４２が光っている状態と比較して、暗く光っている状態である。或いは、フレーム係合部２４１は、全く光っていない状態（例えば、上述の光の導光がない場合や、フレーム係合部２４１が不透過の材質である場合など）である。
【００３８】
このような場合に、光源部２００が灯具１００に取り付けられたとき、透光性カバー２４０のうち、少なくともフレーム係合部２４１が灯具本体１１０の内側に入り込む（図９（ｂ）に示す矢視Ｃ部）ことによって、灯具本体１１０の縁部や化粧カバー５００に覆われる状態となる、つまり、光源部２００の発光量が少ない或いは発光していない部分を覆い隠すことができるので、特に発光時における意匠性を向上させることができる。
【００３９】
また、光源部２００を灯具本体１１０の一辺側に隣接するように配置することにより、光源部２００の短手方向両側のうち、一方側は灯具本体１１０によって覆い隠すことができるので、少ない部品数（他方側に化粧カバーを設けること）で、光源部２００の両側のフレーム係合部２４１を覆い隠すことができ、部品コスト、作業工数を抑えながら、意匠性を向上させることができる。
【００４０】
また、互いの距離が離れるように、灯具１００の両端側に２つの光源部２００を取り付けることにより、光源部２００から発せられた側面方向の光を天井材に当てることができるので、ユーザーに与える明るさ感を向上させることができ、また、光源部２００の周囲が明るくなることにより、グレアを軽減させることができる。
【符号の説明】
【００４１】
１０００  照明器具、１００  灯具、１０１  空調リターン穴、１１０  灯具本体、１１１  天板部、１１２  側板部、１１３  空調リターン用の開口、１２０  遮蔽化粧カバー、１３０  取付バネ台座、１３１  天板取付部、１３２  持上部、１３３  取付バネ取付部、１３３ａ  係止部、１４０  取付バネ、１４１  被係止部、１４２  光源取付部、２００  光源部、２１０  フレーム、２１１  光源載置部、２１２  カバー取付部、２２０  被係合部、２２１  フレーム取付部、２２２  取付バネ係合部、２３０  ＬＥＤモジュール、２３１  基板、２３２  発光ダイオード、２４０  透光性カバー、２４１  フレーム係合部、２４１ａ  側部、２４１ｂ  引掛爪部、２４２  透光部、３００  連結具、３１０  端板、３２０  連結板、４００  係合具、４１０  Ｔバー載置部、４２０  引掛部、４３０  落下防止爪、５００  化粧カバー、５１０  化粧主部、５２０  化粧側板部、５３０  取付ピン、６００  電源部、７００  電源端子台、８００  調光信号端子台、２０００  Ｔバー。
【図１】
2019212414.tif 000003
【図２】
2019212414.tif 000004
【図３】
2019212414.tif 000005
【図４】
2019212414.tif 000006
【図５】
2019212414.tif 000007
【図６】
2019212414.tif 000008
【図７】
2019212414.tif 000009
【図８】
2019212414.tif 000010
【図９】
2019212414.tif 000011